(57)【要約】【課題】ＥＶ−ＤＯ方式の端末機が構内ＥＶ−ＤＯ無線網に呼接続する時に、公衆ＥＶ−ＤＯ無線網に登録されたセッション情報を利用して構内認証及び呼処理を実行できるようにする。【解決手段】構内ＥＶ−ＤＯ無線網２００内に、構内網進入端末２１０の認証及び呼処理を担当するためのｐＤＬＲ２４０を設置し、進入端末が最初に呼接続を要求した時にだけセッション情報を公衆網のＤＬＲ１６０からｐＤＬＲ２４０内のデータベースへ保存し、呼処理及び認証を実行する。認証はＡＮ＿ＡＡＡを要せず、端末のセッション情報に含まれたＩＭＳＩを抽出してｐＤＬＲデータベースに登録されているかどうかを判断することにより実行する。進入端末による２回目以降の呼接続では、認証過程を行わずにｐＤＬＲ２４０内に保存されたセッション情報を利用して呼処理を実行する。【選択図】  図１
2004328759.tif 000002
【特許請求の範囲】
【請求項１】
公衆網ＤＬＲをもつ公衆ＥＶ−ＤＯ無線網システムに連動して構内ＥＶ−ＤＯ無線データサービスを提供する構内ＥＶ−ＤＯ無線網システムにおいて、
構内ＥＶ−ＤＯ無線網に進入した端末から呼接続要求信号が受信される場合、該受信された呼接続要求信号を中継する中継手段と、
前記中継手段から中継された呼接続要求信号が最初の呼接続要求信号である場合、前記端末に対するセッション情報要求信号を発生し、該セッション情報要求信号に応答するセッション情報が受信された場合、該受信されたセッション情報に従って前記端末とのトラフィックチャンネルを割り当てて呼処理を実行する呼処理手段と、
前記呼処理手段から発生されたセッション情報要求信号に従い公衆ＥＶ−ＤＯ無線網内の前記公衆網ＤＬＲへ前記セッション情報を要求し、該公衆網ＤＬＲから前記セッション情報を受信してこれに含まれた前記端末の認証情報を抽出した後、該抽出された認証情報が構内ＥＶ−ＤＯ無線網に登録された端末の認証情報である場合、前記受信されたセッション情報をデータベースに保存し、そして当該セッション情報を前記呼処理手段へ提供するセッション情報処理手段と、を備えた端末認証及び呼処理装置を有することを特徴とする構内ＥＶ−ＤＯ無線網システム。
【請求項２】
セッション情報に含まれる認証情報はＩＭＳＩを含む請求項１記載の構内ＥＶ−ＤＯ無線網システム。
【請求項３】
セッション情報処理手段が公衆網ＤＬＲと専用線で接続されている請求項１記載の構内ＥＶ−ＤＯ無線網システム。
【請求項４】
中継手段から中継された呼接続要求信号が２回目以降の再接続呼である場合、セッション情報処理手段は、該当端末のセッション情報を公衆ＥＶ−ＤＯ無線網内の公衆ＤＬＲへ要求せず、端末認証過程を実行することなく、自分のデータベースに最初の呼接続時に保存された前記端末のセッション情報を呼処理手段へ提供する請求項１記載の構内ＥＶ−ＤＯ無線網システム。
【請求項５】
端末は、構内ＥＶ−ＤＯ無線網に呼接続する時に中継手段へ伝送する呼接続要求信号に、当該呼が公衆ＥＶ−ＤＯ無線網に接続するための接続呼であるか又は構内ＥＶ−ＤＯ無線網に接続するための接続呼であるかを区別するための臨時識別子情報を付加する臨時識別子情報生成部を有する請求項１記載の構内ＥＶ−ＤＯ無線網システム。
【請求項６】
呼処理手段は、呼接続要求信号に含まれた臨時識別子情報によって、該当端末の接続呼が構内ＥＶ−ＤＯ無線網の接続呼であるか又は公衆ＥＶ−ＤＯ無線網の接続呼であるかを判断し、その判断結果に従い当該接続呼を構内ＥＶ−ＤＯ無線網または公衆ＥＶ−ＤＯ無線網へルーティングするルーティングモジュールを有する請求項１又は請求項５に記載の構内ＥＶ−ＤＯ無線網システム。
【請求項７】
呼処理手段により該当端末とのトラフィックチャンネルが割り当てられて呼処理が行われた場合、構内ＥＶ−ＤＯ無線網内のイントラネットを通じたデータを前記呼処理手段を通じて前記端末にサービスするデータパケットサービスノードをもつ請求項１記載の構内ＥＶ−ＤＯ無線網システム。
【請求項８】
公衆データ位置登録機をもつ公衆ＥＶ−ＤＯ無線網システムと連動し、構内基地局、構内制御局及び構内データ位置登録機を備えた構内ＥＶ−ＤＯ無線網システムの端末認証及び呼処理方法において、
構内ＥＶ−ＤＯ無線網に進入した端末から呼接続要求信号が前記構内基地局に受信されると、該構内基地局が前記端末の呼接続要求信号を前記構内制御局へ伝送する段階と、
前記構内制御局が、前記構内基地局からの呼接続要求信号に従って前記端末の呼処理のためのセッション情報を前記構内データ位置登録機へ要求する段階と、
前記構内データ位置登録機が、前記構内制御局から要求されたセッション情報がデータベースに登録されているかどうかを判断し、前記端末のセッション情報が登録されていない場合には、最初の構内ＥＶ−ＤＯ無線網接続であると判断して前記端末のセッション情報を前記公衆データ位置登録機へ要求し、該当するセッション情報を前記公衆データ位置登録機から受信する段階と、
前記構内データ位置登録機が、前記受信されたセッション情報に含まれた認証情報を利用して前記端末の構内認証を実行し、前記端末が構内登録された端末であると判断されると、前記端末のセッション情報を前記構内制御局へ伝送すると共に当該セッション情報を前記データベースに保存する段階と、
前記構内制御局が、前記構内データ位置登録機から伝送されたセッション情報に従って前記端末のトラフィックチャンネルを割り当て、該チャンネルを通じてデータサービスを実行する段階と、を含むことを特徴とする端末認証及び呼処理方法。
【請求項９】
構内基地局が呼接続要求信号を構内制御局へ伝送する段階で、端末が、前記構内基地局へ呼接続要求信号を伝送する時に、該呼接続要求信号に、当該呼が公衆ＥＶ−ＤＯ無線網接続呼であるか又は構内ＥＶ−ＤＯ無線網接続呼であるかを区別するための臨時識別子情報を付加して伝送する請求項８記載の端末認証及び呼処理方法。
【請求項１０】
端末の呼処理のためのセッション情報を構内データ位置登録機に要求する段階は、前記端末から構内基地局へ伝送される呼接続要求信号に含まれた臨時識別子情報を構内制御局が分析し、その分析結果によって、当該呼接続要求信号を公衆ＥＶ−ＤＯ無線網または構内ＥＶ−ＤＯ無線網のデータ位置登録機へ選択的にルーティングする段階を含む請求項８又は請求項９に記載の端末認証及び呼処理方法。
【請求項１１】
該当するセッション情報を公衆データ位置登録機から受信する段階で、構内データ位置登録機が、構内制御局から要求されたセッション情報がデータベースに登録されている場合、該当端末の呼接続が最初の呼接続ではない２回目以降の接続呼と判断し、端末認証を行わずに前記データベースに保存されている前記端末のセッション情報を前記構内制御局へ提供する請求項８記載の端末認証及び呼処理方法。
【請求項１２】
認証情報はＩＭＳＩを含む請求項８記載の端末認証及び呼処理方法。
【請求項１３】
公衆データ位置登録機をもつ公衆ＥＶ−ＤＯ無線網システムと連動する構内ＥＶ−ＤＯ無線網システムの端末認証及び呼処理方法において、
構内ＥＶ−ＤＯ無線網に進入した端末から呼接続要求がある場合、該端末の呼接続が構内ＥＶ−ＤＯ無線網の接続呼であるか又は公衆ＥＶ−ＤＯ無線網の接続呼であるかを判断する段階と、
前記判断の結果、前記端末の呼接続が構内ＥＶ−ＤＯ無線網の接続呼である場合、前記端末に対するセッション情報がデータベースに存在するかどうかを比較検索する段階と、
前記比較検索の結果、前記端末のセッション情報がデータベースに存在しない場合、前記端末の構内認証及び呼処理のための前記端末のセッション情報を公衆ＥＶ−ＤＯ無線網内に位置した前記公衆データ位置登録機へ要求する段階と、
前記公衆データ位置登録機から前記端末のセッション情報が受信されると、該受信されたセッション情報に含まれた前記端末の認証のためのＩＭＳＩ情報を抽出する段階と、
前記抽出されたＩＭＳＩ情報が構内ＥＶ−ＤＯ無線網に登録されている端末のＩＭＳＩ情報であるかどうか判断して前記端末の構内認証を実行する段階と、
前記端末の構内認証が成功すると、該端末のセッション情報を前記データベースに保存した後、当該セッション情報を利用して前記端末のトラフィックチャンネルを割り当て、該チャンネルを通じて前記端末にデータサービスを実行する段階と、を含むことを特徴とする端末認証及び呼処理方法。
【請求項１４】
端末に対するセッション情報がデータベースに存在するかどうかの比較検索の結果、前記端末のセッション情報がデータベースに存在する場合、前記端末の呼接続が２回目以降であると判断し、該端末の構内認証を実行せずに前記データベースに保存されている前記セッション情報を利用して前記端末のトラフィックチャンネルを割り当て、該チャンネルを通じて前記端末にデータサービスを実行する段階を含む請求項１３記載の端末認証及び呼処理方法。
【請求項１５】
私設ネットワークで端末認証及び呼処理を実行する呼処理方法において、
私設ネットワーク端末から最初の呼接続がある場合に、セッション情報を公衆ネットワークＤＬＲから確保し、該確保されたセッション情報を私設ネットワークＤＬＲに保存した後、呼処理を実行する段階と、
これ以降に前記私設ネットワーク端末から呼接続要求がある場合、前記私設ネットワークＤＬＲに保存されたセッション情報によって私設ネットワークで呼処理を実行する段階と、を含むことを特徴とする呼処理方法。
【請求項１６】
私設ネットワークＤＬＲと公衆ネットワークＤＬＲは専用線を通じて接続される請求項１５記載の呼処理方法。
【請求項１７】
確保されたセッション情報にＩＭＳＩを含む請求項１５記載の呼処理方法。
【請求項１８】
公衆ネットワークＤＬＲを含む公衆ネットワークと連動し、私設ネットワークＤＬＲを有する私設ネットワークで端末認証及び呼処理を実行する呼処理システムにおいて、
私設ネットワーク端末から最初の呼接続がある場合に、セッション情報を前記公衆ネットワークＤＬＲから確保し、該確保されたセッション情報を前記私設ネットワークＤＬＲに保存した後に呼処理を実行し、これ以降に前記私設ネットワーク端末から呼接続要求がある場合、前記私設ネットワークＤＬＲに保存されたセッション情報によって私設ネットワークで呼処理を実行することを特徴とする呼処理システム。
【請求項１９】
確保されたセッション情報にＩＭＳＩを含む請求項１８記載の呼処理システム。
【請求項２０】
私設ネットワークＤＬＲと公衆ネットワークＤＬＲは専用線を通じて接続される請求項１８記載の呼処理システム。
【発明の詳細な説明】
【技術分野】
【０００１】
本発明は、私設無線高速データシステムにおける端末機認証及び呼処理装置及びその方法に関し、特に、無線高速データシステム（ＣＤＭＡ １x ＥＶ−ＤＯ：以下ＥＶ−ＤＯと称する）方式の無線端末機が私設（構内）ＥＶ−ＤＯ無線網で呼接続する時に、公衆ＥＶ−ＤＯ無線網に登録された該当端末のセッション情報を利用して端末機の構内ＥＶ−ＤＯ無線網認証及び構内接続呼処理を実行することができるようにした私設無線高速データシステムにおける使用者認証及び呼処理装置及びその方法に関する。
【背景技術】
【０００２】
一般的に、ＣＤＭＡ 1x ＥＶ−ＤＯ無線網は、ＣＤＭＡ技術を利用してクアルコム社（Qualcomm）が開発したパケット（Packet）無線データ送受信技術として、メガ級高速データ伝送が可能である。伝送速度も順方向最大２．４Ｍｂｐｓ、逆方向は３０７．２Ｋｂｐｓで、有線で使うＡＤＳＬ方式と同一に無線でも具現されている。
【０００３】
ＣＤＭＡ 1x ＥＶ−ＤＯは、ＩＭＴ−２０００ ＭＣ（Multi-Carrier、同期式）の１ｘＲＴＴシステムが音声及びデータを全て支援するために開発されて商用化テストまで行ったが、１．２５ＭＨｚ帯域の高速データを伝送するのに限界があるだけなく、ＩＳ−９５方式では１４４Ｋｂｐｓ以上を支援しないので、高速データ伝送のための補完ソリューションで登場したものである。
【０００４】
ＣＤＭＡ 1x ＥＶ−ＤＯは、既存ＩＳ−９５網でＤＣＮ（Data Core Network）を通じたデータ専用インターネットを連結するもので、第３世代（３Ｇ）網でもデータ伝送速度を既存速度と同一に支援することができる。ＣＤＭＡ 1x ＥＶ−ＤＯの順方向の平均伝送速度は、数百ｋｂｐｓの高速データ通信が可能であるが、使用する無線周波数帯域幅は、現行ＣＤＭＡ Ｏｎｅで使われる携帯電話と同一の１．２５ＭＨｚである。ＩＭＴ−２０００で３８４ｋｂｐｓサービスを提供するために５ＭＨｚの帯域幅が必要であることを考慮すると、周波数利用效率が非常に高いシステムであると言える。その理由は、ＣＤＭＡ 1x ＥＶ−ＤＯは、ＩＭＴ−２０００の周波数帯域幅より狭い帯域幅で高速化することができる伝送データがインターネットのようにバースト（Burst）性データである場合、遅延か瞬間の影響を受けないデータ通信に適切な方式で設計されているからである。
【０００５】
また、ＣＤＭＡ 1x ＥＶ−ＤＯは、端末機と基地局との間の通話品質によって逆方向の伝送速度を基地局側で自動調節する機能を実行する。このような機能は、基地局から受信された端末機の信号を１．６７m/sごとにモニタリングして通話品質を把握して端末機でデータ送信優先順位と速度を調節することにより可能である。基地局近くにある電波の干渉の少ない端末機は優先的に伝送速度を高めて伝送し、基地局から遠く離れている端末機では通信速度を減らしてデータの通信品質を向上させる。
【０００６】
一般的な無線網は、無線公衆網と、特定目的を持ったグループまたは会社等で利用する無線私設網とに区分され、無線私設網は、特定無線公衆網と連動されるように構成されるが、前記のようなＣＤＭＡ 1x ＥＶ−ＤＯ無線網は、一般的な無線網とは区別して移動通信事業者が提供する公衆ＥＶ−ＤＯ無線網サービスだけが存在し、私設（構内）ＥＶ−ＤＯ無線網サービスは存在していない。したがって、公衆ＥＶ−ＤＯ無線網の一部を私設ＥＶ−ＤＯ無線網で利用する方法が開発されている。このような方法は、一つの移動端末に対し、特定地域内（構内）では私設ＥＶ−ＤＯ無線網のサービスを提供し、それ以外の地域では公衆ＥＶ−ＤＯ無線網のサービスを提供するようにする。
【０００７】
このような方法については、本出願人が２００２年９月１０日に韓国で出願した特許文献１（発明の名称：無線高速データシステムでの公衆網と私設網の共通使用方法及びシステム）に開示されている。
【０００８】
【特許文献１】大韓民国特許出願番号１０−２００２−００５４６２５号
【０００９】
この特許文献１の“無線高速データシステムでの公衆網と私設網の共通使用方法及びシステム"に対して簡単に説明すると、ＥＶ−ＤＯ網でＥＶ−ＤＯ無線網を具現するための方法の中で、ＥＶ−ＤＯ構成に必須的であるＤＬＲとＡＮ＿ＡＡＡを構成することにおいて次のような方法が提示されている。
【００１０】
まず、ＤＬＲの場合、構内網の構成のために直接公衆網ＤＬＲに接続させるか、構内専用ＤＬＲを構内網の内部に設置して構内網の接続を処理する方式があり、また、ＡＮ＿ＡＡＡの場合も、ＤＬＲと同様に構内網の接続認証を処理するために公衆網ＡＮ＿ＡＡＡに直接接続させるか、構内専用ＡＮ＿ＡＡＡを構内網内に設置して構内認証を処理するようにしている。
【００１１】
しかし、これらのような方法は、それなりに長所を持っているが、次のような問題点がある。
【００１２】
１．別の構内網ＤＬＲを置かないで公衆網ＤＬＲを共有させる方法は、移動通信事業者側の立場では、構内網のサービス提供により結果的に公衆網ＤＬＲに付加される負荷を高めることになる。即ち、構内網内で使われる端末が公衆網に登録された端末であっても構内ＥＶ−ＤＯ無線網を利用して構内ネットワーク接続時及びその他の段階で公衆網ＤＬＲを使うようになるので、新しいサービス提供により公衆網ＤＬＲの使用時間が増える問題点がある。この場合、初期ＤＬＲ設計時には、構内サービスを考慮しないで設計されているので、構内ＥＶ−ＤＯ無線網が大幅に増える場合、公衆ＤＬＲの運営に大きな影響を与える問題点となる。
【００１３】
２．公衆網ＤＬＲとその機能が同一である構内専用ＤＬＲを構内網に設置する方法は、公衆網ページング（Paging）要請に対して構内にある端末が回答できない問題が発生するようになり、構内ＥＶ−ＤＯ無線網内では公衆網に接続できないし、頻繁なサブネット（Subnet）変更によって公衆網ＤＬＲ及び構内網ＤＬＲの負荷を高めるようになる問題点がある
【００１４】
３．構内網の認証のために構内網にＡＮ＿ＡＡＡを設置し、構内網ＡＮ＿ＡＡＡを通じて公衆網ＡＮ＿ＡＡＡに接続して公衆網ＡＮ＿ＡＡＡを共有する方法の場合には、公衆網ＡＮ−ＡＡＡと構内網ＡＮ−ＡＡＡとの間の連結のために専用線が必要になり、選別的な構内網接続許容が容易ではない問題点がある。また、構内網の認証のために構内網専用ＡＮ＿ＡＡＡを運営する方法の場合には、高性能専用ＡＮ＿ＡＡＡサーバーが必要になり、サーバーの使用による設備のコストが上昇し、サーバー管理に必要となる運営費が増加する問題点がある。
【発明の開示】
【発明が解決しようとする課題】
【００１５】
したがって、本発明は上述したような従来技術の問題点を解決するためになされたもので、その目的は、構内網にＤＬＲを設置して構内網ＤＬＲと公衆網ＤＬＲを専用線で連結し、構内網の端末から最初の呼接続がある場合、呼処理に必須的なセッション情報を公衆網ＤＬＲから確保し、確保されたセッション情報を構内網ＤＬＲに保存した後、呼処理を実行するようにし、構内網の端末から以後の呼接続がある場合には、構内網ＤＬＲに保存されたセッション情報によって構内網自体で呼処理を実行することにより、公衆網ＤＬＲに不必要な負荷を減らした、私設無線高速データシステムにおける端末機呼処理装置及びその方法を提供することにある。
【００１６】
また、本発明の他の目的は、構内網に別の端末認証のためのＡＮ＿ＡＡＡを設置しないで、構内網ＤＬＲで公衆網ＤＬＲから確保したセッション情報に含まれた端末のＩＭＳＩ（InternＡＴional Mobile StＡＴion Identity）を抽出し、抽出されたＩＭＳＩと構内登録端末のＩＭＳＩを比べることにより、構内登録端末認証を実行するようにした、私設無線高速データシステムにおける端末機認証処理装置及びその方法を提供することにある。
【課題を解決するための手段】
【００１７】
これら目的を達成するため本発明によれば、公衆網ＤＬＲをもつ公衆ＥＶ−ＤＯ無線網システムに連動して構内ＥＶ−ＤＯ無線データサービスを提供する構内ＥＶ−ＤＯ無線網システムにおいて、構内ＥＶ−ＤＯ無線網に進入した端末から呼接続要求信号が受信される場合、該受信された呼接続要求信号を中継する中継手段と、この中継手段から中継された呼接続要求信号が最初の呼接続要求信号である場合、端末に対するセッション情報要求信号を発生し、該セッション情報要求信号に応答するセッション情報が受信された場合、該受信されたセッション情報に従って端末とのトラフィックチャンネルを割り当てて呼処理を実行する呼処理手段と、この呼処理手段から発生されたセッション情報要求信号に従い公衆ＥＶ−ＤＯ無線網内の公衆網ＤＬＲへセッション情報を要求し、該公衆網ＤＬＲからセッション情報を受信してこれに含まれた端末の認証情報を抽出した後、該抽出された認証情報が構内ＥＶ−ＤＯ無線網に登録された端末の認証情報である場合、受信されたセッション情報をデータベースに保存し、そして当該セッション情報を呼処理手段へ提供するセッション情報処理手段と、を備えた端末認証及び呼処理装置を有することを特徴とする。
【００１８】
セッション情報に含まれる認証情報はＩＭＳＩを含むものとする。また、セッション情報処理手段は、公衆ＥＶ−ＤＯ無線網のＤＬＲと専用線で接続されるものとする。
【００１９】
この本発明のシステムでは、中継手段から中継された呼接続要求信号が２回目以降の再接続呼である場合、セッション情報処理手段は、該当端末のセッション情報を公衆ＥＶ−ＤＯ無線網内の公衆ＤＬＲへ要求せず、端末認証過程を実行することなく、自分のデータベースに最初の呼接続時に保存された端末のセッション情報を呼処理手段へ提供する構成とすることができる。
【００２０】
また、端末は、構内ＥＶ−ＤＯ無線網に呼接続する時に中継手段へ伝送する呼接続要求信号に、当該呼が公衆ＥＶ−ＤＯ無線網に接続するための接続呼であるか又は構内ＥＶ−ＤＯ無線網に接続するための接続呼であるかを区別するための臨時識別子情報を付加する臨時識別子情報生成部を有するものとすることができる。この場合、呼処理手段は、呼接続要求信号に含まれた臨時識別子情報によって、該当端末の接続呼が構内ＥＶ−ＤＯ無線網の接続呼であるか又は公衆ＥＶ−ＤＯ無線網の接続呼であるかを判断し、その判断結果に従い当該接続呼を構内ＥＶ−ＤＯ無線網または公衆ＥＶ−ＤＯ無線網へルーティングするルーティングモジュールを有することが可能である。
【００２１】
上記本発明のシステムは、呼処理手段により該当端末とのトラフィックチャンネルが割り当てられて呼処理が行われた場合、構内ＥＶ−ＤＯ無線網内のイントラネットを通じたデータを呼処理手段を通じて端末にサービスするデータパケットサービスノードをもつことができる。
【００２２】
この他に、本発明によれば、公衆データ位置登録機をもつ公衆ＥＶ−ＤＯ無線網システムと連動し、構内基地局、構内制御局及び構内データ位置登録機を備えた構内ＥＶ−ＤＯ無線網システムの端末認証及び呼処理方法において、構内ＥＶ−ＤＯ無線網に進入した端末から呼接続要求信号が構内基地局に受信されると、該構内基地局が端末の呼接続要求信号を構内制御局へ伝送する段階と、構内制御局が、構内基地局からの呼接続要求信号に従って端末の呼処理のためのセッション情報を構内データ位置登録機へ要求する段階と、構内データ位置登録機が、構内制御局から要求されたセッション情報がデータベースに登録されているかどうかを判断し、該当端末のセッション情報が登録されていない場合には、最初の構内ＥＶ−ＤＯ無線網接続であると判断して端末のセッション情報を公衆データ位置登録機へ要求し、該当するセッション情報を公衆データ位置登録機から受信する段階と、構内データ位置登録機が、公衆データ位置登録機から受信されたセッション情報に含まれた認証情報を利用して端末の構内認証を実行し、該端末が構内登録された端末であると判断されると、当該端末のセッション情報を構内制御局へ伝送すると共に当該セッション情報をデータベースに保存する段階と、構内制御局が、構内データ位置登録機から伝送されたセッション情報に従って端末のトラフィックチャンネルを割り当て、該チャンネルを通じてデータサービスを実行する段階と、を含むことを特徴とする。
【００２３】
その構内基地局が呼接続要求信号を構内制御局へ伝送する段階では、端末が、構内基地局へ呼接続要求信号を伝送する時に、該呼接続要求信号に、当該呼が公衆ＥＶ−ＤＯ無線網接続呼であるか又は構内ＥＶ−ＤＯ無線網接続呼であるかを区別するための臨時識別子情報を付加して伝送することができる。この場合、端末の呼処理のためのセッション情報を構内データ位置登録機に要求する段階は、端末から構内基地局へ伝送される呼接続要求信号に含まれた臨時識別子情報を構内制御局が分析し、その分析結果によって、当該呼接続要求信号を公衆ＥＶ−ＤＯ無線網または構内ＥＶ−ＤＯ無線網のデータ位置登録機へ選択的にルーティングする段階を含むことができる。
【００２４】
この方法においては、該当するセッション情報を公衆データ位置登録機から受信する段階で、構内データ位置登録機が、構内制御局から要求されたセッション情報がデータベースに登録されている場合、該当端末の呼接続が最初の呼接続ではない２回目以降の接続呼と判断し、端末認証を行わずにデータベースに保存されている端末のセッション情報を構内制御局へ提供するようにすることができる。
【００２５】
この方法でも、認証情報はＩＭＳＩを含むものとする。
【００２６】
この他に、本発明によれば、公衆データ位置登録機をもつ公衆ＥＶ−ＤＯ無線網システムと連動する構内ＥＶ−ＤＯ無線網システムの端末認証及び呼処理方法において、構内ＥＶ−ＤＯ無線網に進入した端末から呼接続要求がある場合、該端末の呼接続が構内ＥＶ−ＤＯ無線網の接続呼であるか又は公衆ＥＶ−ＤＯ無線網の接続呼であるかを判断する段階と、この判断の結果、端末の呼接続が構内ＥＶ−ＤＯ無線網の接続呼である場合、端末に対するセッション情報がデータベースに存在するかどうかを比較検索する段階と、この比較検索の結果、端末のセッション情報がデータベースに存在しない場合、端末の構内認証及び呼処理のための端末のセッション情報を公衆ＥＶ−ＤＯ無線網内に位置した公衆データ位置登録機へ要求する段階と、これに応じて公衆データ位置登録機から端末のセッション情報が受信されると、該受信されたセッション情報に含まれた端末の認証のためのＩＭＳＩ情報を抽出する段階と、該抽出されたＩＭＳＩ情報が構内ＥＶ−ＤＯ無線網に登録されている端末のＩＭＳＩ情報であるかどうか判断して端末の構内認証を実行する段階と、端末の構内認証が成功すると、該端末のセッション情報をデータベースに保存した後、当該セッション情報を利用して端末のトラフィックチャンネルを割り当て、該チャンネルを通じて端末にデータサービスを実行する段階と、を含むことを特徴とする。
【００２７】
この方法において、端末に対するセッション情報がデータベースに存在するかどうかの比較検索の結果、当該端末のセッション情報がデータベースに存在する場合、端末の呼接続が２回目以降であると判断し、該端末の構内認証を実行せずにデータベースに保存されているセッション情報を利用して端末のトラフィックチャンネルを割り当て、該チャンネルを通じて端末にデータサービスを実行する段階を含むことができる。
【００２８】
本発明によれば、私設ネットワークで端末認証及び呼処理を実行する呼処理方法において、私設ネットワーク端末から最初の呼接続がある場合に、セッション情報を公衆ネットワークＤＬＲから確保し、該確保されたセッション情報を私設ネットワークＤＬＲに保存した後、呼処理を実行する段階と、これ以降に私設ネットワーク端末から呼接続要求がある場合、私設ネットワークＤＬＲに保存されたセッション情報によって私設ネットワークで呼処理を実行する段階と、を含むことを特徴とする。また、公衆ネットワークＤＬＲを含む公衆ネットワークと連動し、私設ネットワークＤＬＲを有する私設ネットワークで端末認証及び呼処理を実行する呼処理システムにおいて、私設ネットワーク端末から最初の呼接続がある場合に、セッション情報を公衆ネットワークＤＬＲから確保し、該確保されたセッション情報を私設ネットワークＤＬＲに保存した後に呼処理を実行し、これ以降に私設ネットワーク端末から呼接続要求がある場合、私設ネットワークＤＬＲに保存されたセッション情報によって私設ネットワークで呼処理を実行することを特徴とする。
【００２９】
その私設ネットワークＤＬＲと公衆ネットワークＤＬＲは専用線を通じて接続されたものとすることができ、確保されたセッション情報にはＩＭＳＩを含むとよい。
【発明の効果】
【００３０】
本発明による私設無線高速データシステムにおける端末機認証及び呼処理装置及びその方法によると、呼処理に必須的なセッション情報を最初の呼接続時に公衆網ＤＬＲから確保した後、以後の呼処理は構内網ＤＬＲによって処理することができるので、構内ＥＶ−ＤＯ無線網構成によって公衆網ＤＬＲに不必要な負荷を減らすことができる效果がある。
【００３１】
また、構内ＤＬＲは最小限の機能、即ち、セッション設定及び解除に関連された機能は公衆網ＤＬＲで実行し、残りの機能だけを構内ＤＬＲで実行するようにすることにより、構内ＤＬＲ装置の構成時に低容量のハードウェアを使うことができるので材料費節減の效果がある。
【００３２】
さらに、構内ｐＤＬＲだけでＤＬＲ機能及び端末構内認証機能を同時にサポート可能にして別のＡＮ＿ＡＡＡサーバーを要せず構内端末認証を実行することができるので、構内ＥＶ−ＤＯ無線網システムの全体材料費及び別のサーバー管理に必要となる運営経費を減らす效果がある。
【発明を実施するための最良の形態】
【００３３】
以下、添付の図面を参照して本発明による私設無線高速データシステムにおける端末機認証及び呼処理装置及びその方法にについて詳しく説明する。
【００３４】
図１は、本発明による私設無線高速データシステム（構内ＥＶ−ＤＯ無線網）と公衆無線高速データシステム（公衆ＥＶ−ＤＯ無線網）とのネットワーク連結構成を示す図で、その構成及び動作に対して公衆ＥＶ−ＤＯ無線網１００と私設ＥＶ−ＤＯ無線網２００の構成を各々区分して説明する。
【００３５】
まず、図１に図示されるように、公衆ＥＶ−ＤＯ無線網１００の端末機１１０（ＡＴ：Access Terminal）は、公衆ＥＶ−ＤＯ無線網１００と構内ＥＶ−ＤＯ無線網２００で共通に使用することができる端末であり、構内ＥＶ−ＤＯ無線網２００内の端末機２１０も、公衆ＥＶ−ＤＯ無線網１００に登録された端末として構内ＥＶ−ＤＯ無線網２００でも共通で使うことができる端末である。
【００３６】
また、公衆ＥＶ−ＤＯ無線網１００内のＡＮＴＳ（公衆網基地局：Access Network Transceiver System）１２０，１２０ａ，１２０ｂは、各々所定の公衆無線領域を有し、該領域内に端末が進入する場合、セッション（Session）を設定し、該当ＡＴ１１０に必要である識別子（ＵＡＴＩ：Unicast Access Terminal Identifier）の割り当て時に要求される動作を実行する。また、ＡＮＴＳ１２０，１２０ａ，１２０ｂは、ＡＴ１１０で呼の着信が行われるようにするか、ＡＴ１１０から呼接続要求がある場合、呼接続要求信号をＡＮＣ（公衆制御局：Access Network Control）１３０，１３０ａに中継する。
【００３７】
ＡＮＣ１３０，１３０ａは、各々ＧＡＮ（ハブ：Global Area Network）１４０に連結されており、また、ＧＡＮ１４０は、公衆網の認証、公衆網の端末認証などを担当するＡＮ＿ＡＡＡ（接続認証システム：Access Network Authentication Accounting Authorization）１７０と、端末にインターネットサービスを実行するＰＤＳＮ（Packet Data Serving Node）１８０と、端末の情報、端末の位置情報などを保存するＤＬＲ（Data Location Register）１６０と、システムのローディング（負荷）、障害、診断、統計等を担当するＢＳＭ（Base System Manager）１５０とに連結されて、各ノード間にデータの中継を実行する。また、ＧＡＮ１４０に公衆ＥＶ−ＤＯ無線網１００のＡＮＴＳ１２０，１２０ａ，１２０ｂを連結することもできるが、これは図１では省略している。
【００３８】
ＰＤＳＮ１８０は、インターネットを通じて他のパケットサービスノードと連結したり、構内ＥＶ−ＤＯ無線網２００のｐＰＤＳＮ２５０と連結することができるが、これは図示を省略している。
【００３９】
ＤＬＲ１６０は、公衆ＥＶ−ＤＯ無線網１００に登録された端末機１１０，２１０に対する情報（例えば、ＭＮＩＤ（ＩＭＳＩ）情報）と位置情報を保存しており、該当端末のセッション更新時に端末機１１０，２１０の情報を提供する。また、ＤＬＲ１６０は、一般的な無線公衆網に含まれる端末機の情報も保存している。ここで、一般的な無線公衆網の端末情報は、端末の情報、使用者情報、サービス等級情報のうちの少なくとも一つの情報を含むことができる。
【００４０】
一方、構内ＥＶ−ＤＯ無線網２００内のＡＮＴＳ２２０（中継手段）は、構内領域へ進入したＡＴ２１０に着信号を提供したり、 端末機２１０から呼接続が行われる場合、呼接続信号をｐＡＮＣ（構内制御局：Private Access Network Control）２３０に中継する。
【００４１】
ｐＡＮＣ２３０（呼処理手段）は、ＡＴ２１０から発信されたデータ呼に含まれた識別子を利用して、発信されたデータ呼が公衆網に接続するための発信呼であるか構内網に接続するための発信呼であるかを区分し、公衆網の接続発信呼である場合、公衆ＥＶ−ＤＯ無線網１００のＡＮＣ１３０にルーティングし、構内網の接続発信呼である場合、構内網ＥＶ−ＤＯ無線網２００で呼を処理するように発信呼をルーティングするルータモジュール（ハブ：Router Module）を具備する。ルータモジュールは、予め決められた特定のサーバーアドレスを有している。このようなサーバーアドレスは、臨時識別子の情報と比べられ、呼が、特定のサーバーを持つ臨時識別子アドレスが予め決められている臨時識別子端末を要求する場合、この呼を構内ＥＶ−ＤＯ無線網２００内の呼として検出し、該当呼をｐＡＮＣ２３０にルーティングする。
【００４２】
構内ＥＶ−ＤＯ無線網２００の加入者（端末）の臨時識別子は、予め決められたサーバーのアドレスを有するように割り当てられる。たとえば、予め決められているサーバーアドレスが“samsung.co.kr”のサーバーや“samsung.com”ＤＭＬサーバーである場合、構内ＥＶ−ＤＯ無線網２００内の端末機２１０は、“111@samsung.co.kr”のアドレスを有することができる（その臨時識別子情報生成部を備える）。このように構内ＥＶ−ＤＯ無線網２００内のＡＴ２１０が、予め決められたサーバーアドレスのうちの一つのアドレスへ接続を要求するかまたは前記のサーバーを有する端末、例えば、“aaa@samsung.co.kr”の端末へ呼の接続を要求する場合、私設ＥＶ−ＤＯ無線網２００内の呼として検出するようになる。
【００４３】
一方、呼を要求するＡＴ２１０の臨時識別子に含まれたサーバー、呼の着信が要求されるサーバー、または呼の着信を要求する端末機の臨時識別子サーバーのいずれか一つでも予め決められたアドレスではない場合、当該呼を公衆ＥＶ−ＤＯ無線網１００の接続呼であると判断し、公衆ＥＶ−ＤＯ無線網１００のＡＮＣ１３０，１３０ａにルーティングする。
【００４４】
このようなルータモジュールを含むｐＡＮＣ２３０には、構内ＡＴ２１０の位置及びその他の認証情報を保存しており、構内ＥＶ−ＤＯ端末ＡＴ２１０から呼接続を行う場合、呼処理のための必要情報を提供し、保存された端末認証情報（ＩＭＳＩ）を利用して構内ＥＶ−ＤＯ端末ＡＴ２１０の認証を実行するｐＤＬＲ２４０（セッション情報処理手段）が連結される。
【００４５】
また、ｐＡＮＣ２３０には、構内ＥＶ−ＤＯ端末ＡＴ２１０にイントラネット（Intranet）を通じてインターネットサービスを提供するためのｐＰＤＳＮ２５０が連結され、さらに、構内ＥＶ−ＤＯ無線網２００システムのローディング（負荷）、障害、診断、統計などを担当するＷＳＭ２６０が連結される。これら構内ＥＶ−ＤＯ無線網２００のネットワーク構成要素は、公衆ＥＶ−ＤＯ無線網１００で使用している構成要素とその性格及び機能が類似している。
【００４６】
ただし、構内ＥＶ−ＤＯ無線網２００のｐＤＬＲ２４０の場合は、公衆網ＤＬＲ１６０と異なる構内網支援のためのいくつかの機能を実行する。特に、構内ＤＬＲであるｐＤＬＲ２４０は、構内端末認証機能まで実行するようにして別のＡＮ＿ＡＡＡ装備を使用しないようにしている。
【００４７】
以上のように構成された本発明による、公衆ＥＶ−ＤＯネットワークシステムと連動される構内ＥＶ−ＤＯ無線網システムの動作に対して具体的に説明する。
【００４８】
まず、構内ＥＶ−ＤＯ無線網２００は、図１に図示されるように、公衆網ＡＮＴＳ１２０と公衆網ＡＮＣ１３０との間にｐＡＮＣ２３０を追加し、ここに、ＥＶ−ＤＯサービスに必要であるネットワークエレメントを追加するような形態で構成される。
【００４９】
ｐＡＮＣ２３０の重要機能の一つは、構内ＡＮＴＳ２２０から伝送される各種メッセージを公衆ＥＶ−ＤＯ無線網１００と構内ＥＶ−ＤＯ無線網２００へ区分して伝達することである。これは前記のようにｐＡＮＣ２３０内のルータモジュールが担当する。例えば、構内ＥＶ−ＤＯ無線網２００内に位置したＥＶ−ＤＯ無線端末ＡＴ２１０が公衆ＥＶ−ＤＯ無線網１００に接続しようとする時、ｐＡＮＣ２３０は、構内ＡＮＴＳ２２０が伝送したメッセージ内に含まれた識別子を認識し、公衆網ＡＮＣ１３０側へメッセージを伝達して公衆ＥＶ−ＤＯ無線網１００に接続できるようにする。一方、端末ＡＴ２１０が構内ＥＶ−ＤＯ無線網２００に接続しようとする場合には、ｐＡＮＣ２３０は、公衆網の場合と同様に構内ＡＮＴＳ２２０から伝送されたメッセージに含まれた識別子を確認し、ｐＡＮＣ２３０が構内に設置されたネットワークエレメントを利用して構内ＥＶ−ＤＯ無線網２００のサービスを支援するようにする。一例として、構内ＥＶ−ＤＯ無線網２００と公衆ＥＶ−ＤＯ無線網１００を区分することができる識別子は、ＥＶ−ＤＯ無線端末ＡＴ２１０から提供する。
【００５０】
構内ＥＶ−ＤＯ無線網２００では、公衆ＥＶ−ＤＯ無線網１００で設定されたセッションを構内ＥＶ−ＤＯ無線網２００内でそのまま維持しながら構内ＥＶ−ＤＯ無線網２００のサービスを提供するようにする。このようにすることにより得られる長所は次のようである。
【００５１】
まず、構内ＥＶ−ＤＯ無線網２００内にある端末ＡＴ２１０が公衆網ページングに回答することができ、サブネット変更による処理が発生しないので公衆網ＤＬＲの負荷上昇を防止することができる。また、初期セッション設定と関連された作業が全て構内ＥＶ−ＤＯ無線網２００の外部で行われるので、公衆網ＤＬＲ１６０に対比して一層容易に構内ＤＬＲであるｐＤＬＲ２４０の機能を具現することができる。さらに、構内ＥＶ−ＤＯ無線網２００内にｐＤＬＲ２４０を構成することにおいて、公衆網ＤＬＲ１６０より低価であるサーバーを使って構内ＤＬＲであるｐＤＬＲ２４０を具現することができ、構内端末ＡＴ２１０の認証時に別の構内ＡＮ＿ＡＡＡを使う必要を無くし、公衆網で実施した認証結果をそのまま使うことができる。
【００５２】
結局、構内ＥＶ−ＤＯ無線網２００では、公衆ＥＶ−ＤＯ無線網１００内で発生するセッション設定及び削除と関連された作業が発生せず、ただ、基本的な呼処理のために構内ＤＬＲであるｐＤＬＲ２４０内にセッションと関連された基本的な情報が必要なだけであり、これを実現するために公衆網ＤＬＲ１６０とはその機能が少し違う構内ｐＤＬＲ２４０を適用するようになる。ただし、構内ｐＤＬＲ２４０の場合、作動初期には、必要であるデータが入力されていないので、このデータは構内ＥＶ−ＤＯ無線網２００の管理者により任意に入力することもできるが、特定データに限っては、公衆網ＤＬＲ１６０にある情報を必ず利用しなければならない。その理由は、該当端末ＡＴ２１０が構内に位置しているがそのＡＴ２１０のセッション生成は公衆網ＤＬＲ１６０を通じて行われ、呼処理に必要な大部分の情報も公衆網ＤＬＲ１６０に保存されているからである。
【００５３】
したがって、一般的な構内ＥＶ−ＤＯ無線網２００の呼処理は、構内ｐＤＬＲ２４０を利用して実行し、必ず必要である情報に対しては、公衆網ＤＬＲ１６０から必要な情報を持ち込む方法を使って構内ＥＶ−ＤＯの呼処理を実施する。結局、構内ｐＤＬＲ２４０で公衆網ＤＬＲ１６０に保存された必要であるデータを要求して受信するためには、構内ｐＤＬＲ２４０と公衆網ＤＬＲ１６０との間は専用線で連結する必要がある。
【００５４】
構内ＥＶ−ＤＯ無線網２００を通じた構内端末認証の場合には、公衆ＥＶ−ＤＯ無線網１００で設定されたセッションを維持して構内ＥＶ−ＤＯ無線網２００サービスを提供する場合多少問題が発生する。ここで、問題になることは、どの時点で構内端末に対する認証作業を実施するかと言うことある。
【００５５】
公衆網に登録されたＡＴ２１０の場合、端末のセッション設定時にセッション設定過程に引き続き公衆網ＡＮ−ＡＡＡ１７０を通じて該当端末に対する認証作業が実施されるから別に問題がないが、前記のように構内ＥＶ−ＤＯ無線網２００内ではセッション設定及び解除作業が行われないので、構内ＥＶ−ＤＯ無線網２００を構成する場合、呼処理段階で公衆ＡＮ−ＡＡＡ１７０を通じた認証作業自体が実施される状態となる。即ち、公衆ＡＮ−ＡＡＡ１７０を通じた認証は、セッション初期設定及びセッション解除後の新しいセッションの設定時に実施されるため、単純に網に接続するだけの段階では認証段階を任意に実行することができない。
【００５６】
そこで、構内ＥＶ−ＤＯ無線網２００では、セッション設定段階ではない構内ＥＶ−ＤＯ無線網２００の接続時に該当端末に対する認証、即ち、構内ＥＶ−ＤＯ無線網２００で使用が許可されたＥＶ−ＤＯ端末であるかを確認する作業を実行しなければならない。
【００５７】
構内ＥＶ−ＤＯ無線網２００では、基本的な呼処理のために構内ｐＤＬＲ２４０内にセッションと関連された基本的な情報が必要になり、この情報は専用線で連結された公衆網ＤＬＲ１６０から持ち込むようになる。構内端末ＡＴ２１０の認証は、構内ｐＤＬＲ２４０により、公衆網ＤＬＲ１６０がセッション情報を構内ｐＤＬＲ２４０側へ伝送した時に構内ｐＤＬＲ２４０の内部で行われるようになる。
【００５８】
公衆網ＤＬＲ１６０により伝達されるセッション情報内には、多様な情報が入っている。その中で、構内認証に必要な情報を利用して構内に登録されていない端末が構内ＥＶ−ＤＯ無線網２００に接続しようとする時には、呼処理段階で次の段階のメッセージが伝送されないように構内端末ＡＴ２１０の認証を不可とするようになる。即ち、構内ＡＴ２１０の認証は、直接構内ｐＤＬＲ２４０により、公衆網ＤＬＲ１６０がセッション情報を構内ｐＤＬＲ２４０に伝送した時に構内ｐＤＬＲ２４０内部で行われるようになる。公衆網ＤＬＲ１６０により伝達されるセッション情報内には多様な情報が入っている。その中には、構内認証に必ず必要なＭＮＩＤ（またはＩＭＳＩ）が含まれている。
【００５９】
ＩＭＳＩは、３ＧのＭＩＮ（Mobile Identification Number）と同様の意味を持つ値である。公衆網ＡＮ＿ＡＡＡ１７０がセッション設定を終えて端末を認証して最終的に認証された端末に知らせる値がＩＭＳＩ値である。公衆網ＤＬＲ１６０にはもうこの値が登録されているので、構内ｐＤＬＲ２４０では公衆網ＤＬＲ１６０から受けたＩＭＳＩ値とあらかじめ構内ｐＤＬＲ２４０に保存されている構内登録端末（構内で使用が可能である端末）のＩＭＳＩ値とを比較するようになる。比較の結果、該当端末のＩＭＳＩ値が構内ＥＶ−ＤＯ無線網２００に登録されたＩＭＳＩ値である場合には正常に呼処理過程が実行され、そうではない場合には端末方へその次の段階のメッセージが伝送されないようにして、構内端末の認証を実行する。
【００６０】
上記動作と相応する本発明による私設無線高速データシステムにおける使用者認証処理方法において、構内ＥＶ−ＤＯ無線網２００内での呼処理及び端末の認証方法について添付した図面を参照して段階的に説明する。
【００６１】
図２は、本発明による私設無線高速データシステムの端末機認証及び呼処理方法において、私設（構内）網内で最初の呼接続時の私設網と公衆網との呼処理過程を示す図、図３は、図２過程以後（構内ＥＶ−ＤＯ無線網最初呼接続試行後）の構内ＥＶ−ＤＯ無線網２００内で呼再接続時の呼処理過程を示す図である。
【００６２】
まず、図２に図示されるように、構内ＥＶ−ＤＯ無線網２００内に進入した無線端末 ＡＴ２１０は、構内ＥＶ−ＤＯ無線網２００に最初の呼接続要請がある場合、構内ＡＮＴＳ２２０へ構内ＥＶ−ＤＯ無線網２００の接続を要求するための要求信号を伝送する（Ｓ１０１）。構内ＡＮＴＳ２２０は、ＡＴ２１０から伝送された構内網の接続要求信号をルータ２２５を通じて構内ｐＡＮＣ２３０へルーティングする（Ｓ１０２，Ｓ１０３）。
【００６３】
構内ｐＡＮＣ２３０は、ルータ２２５を通じてルーティングされたＡＴ２１０の構内網接続要求信号に応じ、構内ｐＤＬＲ２４０へ構内網接続に必要なセッション情報を要請するためのセッション情報要求信号を提供する（Ｓ１０４）。しかし、構内ｐＤＬＲ２４０には、該当ＡＴ２１０が最初の接続を要請した場合には該当ＡＴ２１０に対するセッション情報を保存していない。
【００６４】
既存のＤＬＲ呼処理では、ＤＬＲ内部に該当端末に対するセッション情報が存在しない場合には、公衆ＡＮＣ１３０へセッション情報が存在しないというメッセージを伝送し、新しいセッションを開くための過程を開始するようになっている。しかし、構内ＥＶ−ＤＯ無線網２００では、ＡＴ２１０に付与された公衆網セッションを解除しないでそのまま維持した状態で構内ＥＶ−ＤＯ無線網２００サービスを提供しなければならないので呼処理の修正が必要になる。したがって、構内ｐＤＬＲ２４０は、該当端末ＡＴ２１０に対するセッション情報がデータベースに保存されていない場合、ｐＡＮＣ２３０から受信したセッション情報要求メッセージをそのまま公衆網ＤＬＲ１６０へ伝送するようになる（Ｓ１０５）。
【００６５】
公衆網ＤＬＲ１６０は、構内ｐＤＬＲ２４０から伝送されたセッション情報要求メッセージに応じ、自分のデータベースに保存されている網接続を要求した該当端末ＡＴ２１０のセッション情報を検索して構内ｐＤＬＲ２４０へ伝送する（Ｓ１０６）。
【００６６】
ｐＤＬＲ２４０は、公衆網ＤＬＲ１６０から伝送された接続要求端末ＡＴ２１０のセッション情報を受信し、受信されたセッション情報内に含まれたＩＭＳＩ情報を利用してＡＴ２１０の認証を実行する。認証が完了されると、受信されたＡＴ２１０のセッション情報を自分のデータベースに保存した後、該当セッション情報を構内ｐＡＮＣ２３０へ提供する（Ｓ１０７）。即ち、ｐＤＬＲ２４０は、公衆網ＤＬＲ１６０から受信したＡＴ２１０のセッション情報を自分のデータベースに保存する前にセッション情報からＩＭＳＩ値を抽出した後、既に保存されていた構内登録端末のＩＭＳＩ値と各々比べるようになる。もし、該当ＩＭＳＩ値が構内登録端末のＩＭＳＩである場合には、構内ｐＤＬＲ２４０の内部データベースに前記公衆網ＤＬＲ１６０から受信したセッション情報を保存し、残りの呼処理過程を実施するが、同一であるＩＭＳＩ値がｐＤＬＲ２４０の内部に存在しない場合には、構内ＥＶ−ＤＯ無線網２００に登録されていないＡＴ２１０であると判断して、公衆網ＤＬＲ１６０から受信したセッション情報をデータベースに保存しないで呼処理過程を中止するようになる。その結果、構内ＥＶ−ＤＯ無線網２００の未登録ＡＴ２１０に対しては接続初期から呼処理が進行されないことになる。
【００６７】
Ｓ１０７段階で、公衆網ＤＬＲ１６０から受信したセッション情報内のＩＭＳＩ値と構内ｐＤＬＲ２４０内に保存された構内登録ＡＴのＩＭＳＩの中で一致するＩＭＳＩ値が存在する場合、即ち、該当ＡＴ２１０が構内ＥＶ−ＤＯ無線網２００に登録された端末である場合、構内ｐＡＮＣ２３０は、構内ｐＤＬＲ２４０から伝送された接続要求端末ＡＴ２１０のセッション情報を利用して該当端末ＡＴ２１０にトラフィックチャンネルを割り当て、割り当てられたチャンネルを通じて端末ＡＴ２１０との呼接続を実行するようになる（Ｓ１０８）。
【００６８】
このように割り当てられたチャンネルを通じて呼接続が行われると、構内ｐＡＮＣ２３０は、該当端末ＡＴ２１０を構内ｐＰＤＳＮ２５０に登録してイントラネットを通じたデータサービスを実行するようになる（Ｓ１０９）。
【００６９】
以上のように構内ＥＶ−ＤＯ無線網２００に進入した端末ＡＴ２１０の最初呼接続が行われた後に、更に呼接続が行われた場合の呼処理過程に対して図３を参照して簡単に説明する。
【００７０】
まず、構内ＥＶ−ＤＯ無線網２００内に進入した無線端末ＡＴ２１０は構内ＥＶ−ＤＯ無線網２００に再接続要請がある場合、構内ＡＮＴＳ２２０へ構内ＥＶ−ＤＯ無線網２００接続を要求するための要求信号を伝送する（Ｓ２０１）。構内ＡＮＴＳ２２０は、ＡＴ２１０から伝送された構内網接続要求信号をルータ２２５を通じて構内ｐＡＮＣ２３０にルーティングする（Ｓ２０２，Ｓ２０３）。
【００７１】
構内ｐＡＮＣ２３０は、ルータ２２５を通じてルーティングされたＡＴ２１０の構内網接続要求信号に応じ、構内ｐＤＬＲ２４０へ構内網接続に必要なセッション情報を要請するためのセッション情報要求信号を提供する（Ｓ２０４）。ｐＤＬＲ２４０は、ｐＡＮＣ２３０の要求によってデータベースに保存された該当端末ＡＴ２１０のセッション情報を検索し、検索されたセッション情報をｐＡＮＣ２３０へ伝送する（Ｓ２０５）。
【００７２】
したがって、構内ｐＡＮＣ２３０は、構内ｐＤＬＲ２４０から伝送された接続要求端末ＡＴ２１０のセッション情報を利用して該当端末ＡＴ２１０にトラフィックチャンネルを割り当て、割り当てられたチャンネルを通じて端末ＡＴ２１０との呼接続を実行するようになる（Ｓ２０６）。
【００７３】
このように割り当てられたチャンネルを通じて呼接続が行われると、構内ｐＡＮＣ２３０は、該当端末ＡＴ２１０を構内ｐＰＤＳＮ２５０に登録してイントラネットを通じたデータサービスを実行するようになる（Ｓ２０７）。
【００７４】
結局、構内ＥＶ−ＤＯ無線網２００に進入した端末ＡＴ２１０が最初呼接続後に再接続を行った場合の呼処理過程は、図２の過程と類似であるが、もう該当端末ＡＴ２１０のセッション情報が構内ｐＤＬＲ２４０に保存されているので、セッション情報を再度公衆網ＤＬＲ１６０に要求する必要がなく、構内ＥＶ−ＤＯ無線網２００内のｐＤＬＲ２４０に保存されたセッション情報を利用して呼処理過程を進行することが異なる。この時、該当ＡＴ２１０の認証過程は、最初呼接続時の認証過程を経た状態なので、別の認証処理は行われない。
【００７５】
図２及び図３に図示された呼処理過程を含む本発明による私設無線高速データシステムでの端末機認証及び呼処理方法について図４を参照して説明する。図４は、本発明による私設無線高速データシステムの端末機認証及び呼処理方法に対する動作フローチャートを示す図である。
【００７６】
まず、図４に図示されるように、構内ＥＶ−ＤＯ無線網２００内に進入した無線端末ＡＴが構内ＥＶ−ＤＯ無線網へ呼接続を要請する場合、無線端末ＡＴは、構内ＡＮＴＳへ構内ＥＶ−ＤＯ無線網接続を要求するための要求信号を伝送する（Ｓ３０１）。構内ＡＮＴＳは、ＡＴから伝送された構内網接続要求信号をルータを通じて構内ｐＡＮＣへルーティングする（Ｓ３０２）。
【００７７】
構内ｐＡＮＣは、ＡＮＴＳを通じて接続した呼接続信号が構内ＥＶ−ＤＯ無線網の接続のための呼信号であるかそれとも公衆ＥＶ−ＤＯ無線網の接続のための呼接続信号であるかを判断する（Ｓ３０３）。ここで、ＡＴからの接続呼が構内ＥＶ−ＤＯ無線網接続呼であるか公衆ＥＶ−ＤＯ無線網接続呼であるかの判断は、ＡＴから伝送される呼接続要求信号に含まれた識別子（UATI）により判断する。この判断の結果、呼接続信号が公衆ＥＶ−ＤＯ無線網の接続呼信号である場合は、該当呼接続要求信号を公衆網ＡＮＣへルーティングして公衆ＥＶ−ＤＯ無線網で該当呼を処理するようにする（Ｓ３０４）。
【００７８】
一方、ＡＴの呼接続要求信号が構内ＥＶ−ＤＯ無線網の接続要求信号である場合、構内ｐＡＮＣは、ルータを通じてルーティングされたＡＴの構内網の接続要求信号によって構内ｐＤＬＲへ構内網接続に必要なセッション情報を要請するためのセッション情報要求信号を提供する（Ｓ３０５）。構内ｐＤＬＲは、構内ｐＡＮＣから要求された呼接続要求端末ＡＴに対するセッション情報がデータベースに保存（登録）されているかどうかを判断する（Ｓ３０６）。
【００７９】
判断の結果、構内ｐＤＬＲ内のデータベースに接続を要求した該当ＡＴのセッション情報が存在しない場合は、最初に構内ＥＶ−ＤＯ無線網に接続を試みた場合であると判断し、構内ｐＤＬＲは、公衆ＥＶ−ＤＯ無線網の公衆ＤＬＲに該当端末のセッション情報を要求する（Ｓ３０７）。即ち、構内ｐＤＬＲには、該当ＡＴが最初に接続を要請した場合には該当ＡＴに対するセッション情報を保存していないから、該当ＡＴのセッション情報を公衆ＤＬＲに要請することである。
【００８０】
次に、公衆網ＤＬＲは、構内ｐＤＬＲから伝送されたセッション情報要求メッセージに応じ、自分のデータベースに保存された網接続を要求した該当ＡＴのセッション情報を検索して構内ｐＤＬＲへ伝送する（Ｓ３０８）。ｐＤＬＲは、公衆網ＤＬＲから伝送された接続要求端末ＡＴのセッション情報を受信し、受信されたセッション情報に含まれた端末認証情報、即ち、ＩＭＳＩ情報を抽出する（Ｓ３０９）。
【００８１】
次に、ｐＤＬＲは、抽出した該当ＡＴのＩＭＳＩ情報と自分のデータベースに登録されている構内網登録ＡＴのＩＭＳＩ情報とを各々比べて、該当ＩＭＳＩ情報がデータベースに登録されているかどうかを判断する（Ｓ３１０）。判断の結果、接続ＡＴのＩＭＳＩがｐＤＬＲデータベースに登録されたＩＭＳＩではない場合には、呼処理の進行を中止し、呼処理中止に対するメッセージを該当ＡＴへ伝送する。一方、判断の結果、接続ＡＴのＩＭＳＩがｐＤＬＲデータベースに登録されたＩＭＳＩである場合には、該当ＡＴが構内ＥＶ−ＤＯ無線網に登録されたＡＴであると判断し、公衆網ＤＬＲから伝送されたセッション情報をｐＤＬＲのデータベースに保存した後（Ｓ３１１）、該当セッション情報を構内ｐＡＮＣへ伝送する（Ｓ３１２）。
【００８２】
したがって、構内ｐＡＮＣは、構内ｐＤＬＲから伝送された接続要求ＡＴのセッション情報を利用して該当端末ＡＴとのトラフィックチャンネルを割り当ててサービスを設定した後、構内ＥＶ−ＤＯ無線網のｐＰＤＳＮに登録及び接続して該当ＡＴが要求するデータサービスを実行するようになる（Ｓ３１３，Ｓ３１４）。
【００８３】
他方、Ｓ３０６段階で、構内ｐＤＬＲのデータベースに構内ｐＡＮＣから要求された呼接続要求ＡＴに対するセッション情報が保存されている場合、即ち、該当端末が少なくとも２回目の構内ＥＶ−ＤＯ無線網呼接続を実行した場合、構内ｐＤＬＲのデータベースに保存された該当ＡＴのセッション情報を構内ｐＡＮＣへ伝送する（Ｓ３１２）。ここで、構内ＥＶ−ＤＯ無線網に対するＡＴの初期接続時に該当ＡＴに対するセッション情報を公衆ＤＬＲから受信して構内ｐＤＬＲに保存しているので、以後の呼接続時には該当ＡＴのセッション情報を再度公衆ＤＬＲから受信することなく、構内ｐＤＬＲに保存された該当ＡＴのセッション情報を利用して構内ＥＶ−ＤＯ無線網自体で呼処理を実行するようになる。
【００８４】
したがって、構内ｐＡＮＣは、構内ｐＤＬＲから伝送された接続要求端末ＡＴのセッション情報を利用して該当端末ＡＴとのトラフィックチャンネルを割り当てて接続に必要な呼処理を進行するようになる（Ｓ３１３，Ｓ３１４）
【００８５】
結局、本発明による私設無線高速データシステムにおける端末機認証及び呼処理装置及びその方法は、構内ＥＶ−ＤＯ無線網内に構内網進入端末の認証及び呼処理を担当するための構内ｐＤＬＲを設置し、構内ＥＶ−ＤＯ無線網に進入した端末が最初に呼接続を要求した場合にだけ該当端末のセッション情報を公衆ＥＶ−ＤＯ網のＤＬＲから受信した後に構内ｐＤＬＲ内のデータベースに保存して呼処理及び認証を実行する。認証においては、構内ＥＶ−ＤＯ無線網に別のＡＮ＿ＡＡＡを具備しないで該当端末のセッション情報に含まれた端末のＩＭＳＩを抽出し、抽出されたＩＭＳＩが構内ＥＶ−ＤＯ無線網のｐＤＬＲデータベースに登録されているかどうかを判断して該当端末の認証を実行するようになる。
【００８６】
また、構内網に進入した端末から２回目以降の呼接続が要求される場合には、別の認証過程なしに構内ｐＤＬＲ内部に保存された該当端末に対するセッション情報を利用して呼処理を実行するようにしている。
【図面の簡単な説明】
【００８７】
【図１】本発明による私設（構内）無線高速データシステムの端末機認証及び呼処理装置を具現するための公衆無線高速データシステムとのネットワーク連結構成を示す図。
【図２】本発明による私設（構内）無線高速データシステムの端末機認証及び呼処理方法において、私設網内で最初の呼接続時に行われる私設網と公衆網との呼処理過程を示す図。
【図３】図２の過程以後（私設網の最初の呼接続試行後）の私設網内で呼再接続を行う時の呼処理過程を示す図。
【図４】本発明による私設無線高速データシステムの端末機認証及び呼処理方法に対する動作フローチャート。
【符号の説明】
【００８８】
１００  公衆ＥＶ−ＤＯ網
２００  私設ＥＶ−ＤＯ網
１１０，２１０  端末機
１２０，１２０ａ，１２０ｂ，２２０  ＡＮＴＳ
１３０，１３０ａ  ＡＮＣ
１４０  ＧＡＮ
１５０  ＢＳＭ
１６０  ＤＬＲ
１７０  ＡＮ＿ＡＡＡ
１８０  ＰＤＳＮ
２３０  ｐＡＮＣ
２４０  ｐＤＬＲ
２５０  ｐＰＤＳＮ
２６０  ＷＳＭ
【図１】
2004328759.tif 000003
【図２】
2004328759.tif 000004
【図３】
2004328759.tif 000005
【図４】
2004328759.tif 000006